(57)【要約】      （修正有）【課題】閉めた状態でも外気に有効に開放される部分が５０％以上になるベランダ先取付用パンチング型ブラインド式雨戸型目隠しスクリーンを提供する。【解決手段】閉めた状熊でもベランダ内空間と外部空間とが接する面において、ベランダ内空間が直接外気に通じる部分の面積がベランダ内空間と外部空間との接する全体面積の５０％以上になるようにスラットに多数の穴部を設けられている。【選択図】図１
0003203819.tif 000002
【実用新案登録請求の範囲】
【請求項１】
閉めた状態でもバルコニー内空間と外部空間とが接する面において、バルコニー内空間が直接が外気に通じる部分の面積がバルコニー内空間と外部空間特別お値引きの接する全体面積ノ５０％以上にスラットに多数の穴部を設けられていることを特徴とするバルコニー先取付用パンチン型ブラインド式雨戸目隠しスクリーン
【考案の詳細な説明】
【考案の詳細な説明】
【技術分野】
【０００１】  本考案は、屈伸リンクにより開扉又は閉扉するブラインド式雨戸に多数の穴部を設けて建物の開口部に設置し、通風・採光型の目隠しスクリーンに転用されるものに関する。
【背景技術】
【０００２】  従来の通風・採光型の目隠しスクリーンは、閉じた時にも、外の光を完全に遮光することも、通気を遮断することもなく、家屋等の中が外から見えてしまったり、外部から侵入しやすくなったりといったプライバシーや防犯上の問題が発生することを避けることができるものであるが、これをベランダの外側の手すりの上側と上層階のベランダ床下との間に設置する場合には、建築基準法上は、ベランダの空間が吹きさらしの空間部ではなく、外部から切り離された居室同様に取り扱われ、この目隠しスクリーン設置前には建物の有する床面積には算入されなかったベランダの床面積が当該建物の床面積に算入されることで、建物の他の居住空間に当てることができる床面積がその分だけ減少することになる。このことは、敷地面積に対して一定割合で許容される建物床面積の法令上の上限いっぱいの建物が建てられることが圧倒的に多いというわが国の実態に照らすと、プライバシー保護及び防犯等の目的を実現するために従来型の目隠しスクリーンを設置することを著しく不便にしており、実際、従来はブラインド式雨戸の技術を応用した目隠しスクリーンをベランダ先に設置した例は、それによってベランダの床面積が建物の容積率を算定する際に床面積に算入されるために、極めて僅かしか実施されることがなかった。
しかしながら、ブラインド式雨戸の技術を応用した目隠しスクリーンをベランダ先に設置しても、その設置面を構成する部材に多数の穴が設けられている場合には、その穴の設けられた合計面積が設置面全体の面積に占める割合を一定程度大きくすれば、目隠しスクリーンを閉じた状態においてもなお、ベランダ空間は「吹きさらし」の空間とみなすことができるはずである。ところで、建築基準法以下の法令によれば、ベランダ空間が吹きさらしの状態であるか否かの判定基準として外気に直接通じる目隠しスクリーンの設置面の面積に対してスクリーンに設けられた部分の合計面積が５０％以上であれば、ベランダ部分が吹きさらしの状態であるとして、ベランダ部分の床面積は建物の床面積には算入されないものと解釈できるのである。【０００３】このような問題を解決するためのものとしてスラットの穴の占める面積を５０％にしバルコニーの手摺を格子形にし７０％以上の構造にした。
このパンチング型スライド式スクリーンは、屈伸リンクにより連絡させた複数の板状のスラットを、上部及び下部のサッシに沿って移動可能なように上部のサッシから吊設したものである。【０００４】このようなパンチング型スライド式スクリーンに関するものとして特許文献１が開示するところのブラインド式雨戸が提案されている。この特許文献１に開示されるブラインド式雨戸は従来のブラインド複数のスラットが雨戸の正面から所定の角度傾いて互いに平行になり雨戸が閉じた状態のまま各スラット間が開口するように構成されている。
【特許文献１】実用新案３１７４２８１号
【０００５】（パンチング型スライド式スクリーンの構成）
図１は、本発明の一実地の形態におけるパンチング型スライド式スクリーンの開扉時の縦断面図である。
また、図２は、本実施の形態における開扉時の横断面図であり、図１のＡ−Ａ線で切った断面を示している。
なお、このパンチング型スライド式スクリーンは、例えばアルミ製であり、その表面には、多数の穴部が貫通して形成されている。【０００６】なお、この穴部は、径が１８〜２８ｍｍ程度の円形や方形等であることが好ましい。これは、この穴部の径を極端に大きく形成すると、採光及び通気の効果は高くなるものの、扉１９内の様子が外側から視認可能となり、さらには防犯面の効果も低くなってしまうからである。【０００７】図３は、前述の折戸案内枠２０の表面側を示す図である。
図に示すように、このスクリーン用案内枠２０は、開口部２に対して四辺形状に形成されている。また、スクリーン用案内枠２０は、この四辺形状の上辺部を構成する上枠２１と、下辺部を構成する下枠２２と、側辺部を構成する左右一対の縦枠を２３とを有して構成されている。【０００８】図４は、そのパンチング型スライド式スクリーン１９の正面図である。また、図６は、そのパンチング型スライド式スクリーン１９の拡大斜視図である。
図に示すように、パンチング型ブラインド式１９は、短冊状に形成された複数のスラット３８と、この各スラット３８の上端部及び下端部を連結する伸縮自在のレージトング４１と、上側のレージトング４１をガイドレール３９内にガイド穴４０を介して転動自在に吊支するガイドローラー４２と、下側のレージトング４１を下枠２２のガイドレール３９内にガイド穴４０を介して移動可能に係合させるガイドピン４３とを有して構成されている。【０００９】スラット３８は、細長い板体により構成され、上下端部に前記レージトング４１が取り付けられている。
また、このスラット３８は、両側端部に相反する方向へ折曲された係止縁４４を有し、この係止縁４４には上下方向に沿って凹溝４５が形成されている。この凹溝４５には、細長状に形成されたシール部材４６（例えばゴム材など）が固着され、各スラット３８の係止縁４４同士が密着したときの水密性を向上させている。【００１０】また、レージトング４１は、形状の異なる二種類のリンク４７ａ、４７ｂを中央部で軸着してＸ字状に回転自在に組み合わせた複数組をヒンジ結合してエキスパンダー式に伸縮自在に構成されている。
そして、このレージトング４１を構成するリンク４７ａは、一方が横断面円弧状に折曲形成されたプレート（折曲角度が緩やかに設定されている）により構成されている。
また、リンク４７ｂは断面Ｌ字状に折曲形成されたプレートにより構成されている。このリンク４７ｂには、スラット３８の上下端部が狭持固定されている。
【考案が解決しようとする課題】
【００１１】このパンチング型ブラインド式スクリーンは閉めた状態でも外気に有効に開放される部分を５０％以上になるように考えた。
【課題を解決するための手段】
【００１２】本考案はスラットの穴の占める面積を５０％にして又バルコニ−の手摺を７０％以上の格子形の構造にした。
【考案の効果】
【００１３】  本考案の効果は外部からの覗を防ぎプライバシーを守ることが出来る。▲１▼通気（冷気）が通る▲２▼外側から室内が見ずらいようになる。▲３▼外部からの侵入を防ぐ事が出来る。。
【図面の簡単な説明】
【００１４】
【図１】本発明の一実施形態におけるパンチング型スライド式スクリーンの開扉時の縦断面図である。
【図２】本発明の一実施形態における開扉時の横断面図である。
【図３】本発明の一実施形態におけるスクリーン用案内枠の表面側を示す図である。
【図４】本発明の一実施形態におけるパンチング型スライド式スクリーンの拡大斜視図である。
【図５】本発明の一実施形態におけるパンチング型スライド式スクリーンを開けた状態の内側正面図である。
【図６】本発明の一実施形態におけるパンチング型スライド式スクリーンの拡大斜視図である。
【図７】本発明の一実施形態におけるレージトング及びガイドローラの部分を拡大した分解斜視図である。
【図８】３８スラットの穴の大きさ形態図である。
【図９】バルコニーの外側に取付る手摺のイメージ写真である
【符号の説明】
【００１５】１９  パンチング型スライド式スクリーン
２０  本体用案内枠
２１  上枠
２２  下枠
２３  立て枠
２４  枠本体
３８  スラット
３９  ガイドレール
４０  ガイド穴
４１  レージトング
４４  係止縁
４６  シール部材
４７ａ、４７ｂ  リンク
５０  回転軸
５１  ローラ部
５２  ベアリング
５５  固定棒
【図１】
0003203819.tif 000003
【図２】
0003203819.tif 000004
【図３】
0003203819.tif 000005
【図４】
0003203819.tif 000006
【図５】
0003203819.tif 000007
【図６】
0003203819.tif 000008
【図７】
0003203819.tif 000009
【図８】
0003203819.tif 000010
【図９】
0003203819.tif 000011
【手続補正書】
【提出日】平成28年1月27日(2016.1.27)
【手続補正１】
【補正対象書類名】実用新案登録請求の範囲
【補正対象項目名】全文
【補正方法】変更
【補正の内容】
【実用新案登録請求の範囲】
【請求項１】
閉めた状熊でもベランダ内空間と外部空間とが接する面において、ベランダ内空間が直接外気に通じる部分の面積がベランダ内空間と外部空間との接する全体面積の５０％以上になるようにスラットに多数の穴部を設けられていることを特徴とするベランダ先取付用パンチング型ブラインド式雨戸型目隠しスクリーン。